(57)【要約】【課題】緊急警報放送が放送された際に、緊急警報放送を受信可能な状態にする緊急警報受信機を提供する。【解決手段】緊急警報放送を受信可能な緊急警報受信回路１３２と緊急警報信号を検知する緊急警報信号検出回路１５を有する。緊急警報放送が行われる際には、ＡＭ／ＦＭ放送が選局されていても、緊急警報信号検出回路１５が緊急警報信号を検知し、切り替えスイッチ１４が緊急警報信号に切り変え、緊急警報放送が聴取できる状態にする。【選択図】図１
2008160789.tif 000002
【特許請求の範囲】
【請求項１】
緊急警報信号を受信する緊急警報受信回路と、
放送信号を受信する放送受信回路と、
上記緊急警報信号と上記放送信号とを含む信号が入力され、当該信号を選択して出力する切り替えスイッチと、
を有し、
上記切り替えスイッチは、
上記緊急警報受信回路が上記緊急警報信号を受信した場合は、上記放送信号から上記緊急警報信号に切り替える
緊急警報受信機。
【請求項２】
上記切り替えスイッチの出力信号を増幅する出力アンプと、
上記出力アンプの状態を制御する出力アンプ制御回路と、を含む出力系と、
通電状態に保持される上記緊急警報受信回路と、
上記緊急警報信号を検出する緊急警報信号検出回路と、
を有し、
上記緊急警報信号検出回路は、
通電状態に保持され、上記緊急警報信号を検出した場合に、上記出力系が非通電状態であれば、上記出力系を通電状態に切り替えるように指示する
請求項１記載の緊急警報受信機。
【請求項３】
上記出力アンプ制御回路は、
上記緊急警報信号検出回路にて上記緊急警報信号が検出された場合に、上記出力アンプの出力信号を所定の出力レベル以上であるように制御する
請求項２記載の緊急警報受信機。
【請求項４】
防災無線信号を受信する防災無線受信回路と、
上記防災無線信号を検出する防災無線信号検出回路と、
をさらに有し、
上記切り替えスイッチは、
上記防災無線信号検出回路が上記防災無線信号を検出した場合に、上記防災無線信号もしくは上記緊急警報信号に切り替える
請求項３記載の緊急警報受信機。
【請求項５】
上記防災無線信号検出回路は、
上記防災無線信号に含まれる雑音の大きさが予め設定された値より大きいか小さいかを比較し、雑音の方が大きい場合には防災無線信号が検知されていないと認識し、雑音の方が小さい場合には防災無線信号が検知されたと認識する
請求項４記載の緊急警報受信機。
【請求項６】
上記出力アンプ制御回路は、
上記緊急警報信号検出回路にて上記緊急警報信号が検出された場合に、事前に設定されている上記出力アンプの音量レベルに関わらず、当該音量レベルを制御する
請求項２または３に記載の緊急警報受信機。
【請求項７】
上記出力アンプ制御回路は、
上記防災無線信号検出回路にて上記防災無線信号が検出された場合に、事前に設定されている上記出力アンプの音量レベルに関わらず、当該音量レベルを制御する
請求項２から５のいずれか一つに記載の緊急警報受信機。
【請求項８】
上記出力アンプ制御回路は、
上記音量レベルが無音状態にあっても、上記出力アンプが上記緊急警報信号もしくは上記防災無線信号を所定の音量レベルで出力するように制御する
請求項６または７記載の緊急警報受信機。
【請求項９】
上記出力アンプ制御回路は、
上記出力アンプが上記緊急警報信号もしくは上記防災無線信号を最大でない音量レベルで出力するように制御する
請求項８記載の緊急警報受信機。
【請求項１０】
緊急警報信号を受信する緊急警報受信回路と、
ＡＭおよびＦＭ放送信号を受信するＡＭ／ＦＭ受信回路と、
上記緊急警報信号、上記ＡＭおよびＦＭ放送信号とを含む信号が入力され、当該信号を選択して出力する切り替えスイッチと、
を有し、
上記切り替えスイッチは、
上記緊急警報受信回路が上記緊急警報信号を受信した場合は、上記ＡＭまたはＦＭ放送信号から上記緊急警報信号に切り替える
緊急警報受信機。
【発明の詳細な説明】
【技術分野】
【０００１】
本発明は、緊急警報放送や防災無線放送などが受信可能な緊急警報受信機に関するものである。
【背景技術】
【０００２】
緊急警報放送とは、地震や津波等の災害発生時にラジオなどの受信機やテレビジョン等に搭載された特定の機能を持つ受信機を自動的に動作させ、災害に関する情報を伝える放送である。
このような緊急警報放送は、日本放送協会等の各放送局が放送法施行規則に基づいて行っており、大規模な地震の警戒宣言が発せられた場合、津波警報が発せられた場合、あるいは地方自治体の長から避難命令などの放送の要請があった場合に放送される。
【０００３】
また、防災無線放送とは、市町村等の行政機関等が、地震、火災、水害等の災害時の緊急通報、避難情報や、一般行政事務に関する情報等を市町村内に居住する住民に報知する無線である。
緊急時には、親局から各種情報が送信され、屋外拡声受信装置は受信した情報をスピーカを通じて拡声し、屋外拡声受信装置の設置された一帯の住民に報知する。
また、親局から送信された各種情報は、受信機等によっても受信可能で、受信機を通じて各世帯の住民に緊急情報を報知する。
上記のように、防災行政無線システムは主として緊急時の情報を速やかに住民に知らせるためのものであるとともに、所定の時間毎に一般行政事務に関する情報や、正時等を報知するのにも使用される。
【発明の開示】
【発明が解決しようとする課題】
【０００４】
ところで、上記した緊急警報放送は、警報音を兼ねた音声信号が送出される。この音声信号には待機状態にあるＡＭ／ＦＭ受信機等の受信機を作動させるための開始信号などが含まれる。そのため、緊急警報放送を受信するためには緊急警報信号を受信し、開始信号等を識別する回路が必要である。同様に防災無線放送を受信するためには防災無線を識別する回路が必要である。
【０００５】
このような識別回路を搭載したＡＭ／ＦＭ受信機等は多くあるが、緊急警報放送や防災無線放送時に、それらの放送を放送している放送局以外が選局されている場合は緊急警報放送を聴取できない。
あるいは、緊急警報放送や防災無線放送が受信可能な受信機であっても、これらの放送を行う放送局以外を選局できない。
【０００６】
本発明の目的は、緊急警報あるいは防災無線が放送された際に、これら緊急警報放送や防災無線放送を受信可能な状態にする緊急警報受信機を提供することにある。
【課題を解決するための手段】
【０００７】
本発明の第１の観点の緊急警報受信機は、緊急警報信号を受信する緊急警報受信回路と、
放送信号を受信する放送受信回路と、上記緊急警報信号と上記放送信号とを含む信号が入力され、当該信号を選択して出力する切り替えスイッチと、を有し、上記切り替えスイッチは、上記緊急警報受信回路が上記緊急警報信号を受信した場合は、上記放送信号から上記緊急警報信号に切り替える。
【０００８】
好適には、上記切り替えスイッチの出力信号を増幅する出力アンプと、上記出力アンプの状態を制御する出力アンプ制御回路と、を含む出力系と、通電状態に保持される上記緊急警報受信回路と、上記緊急警報信号を検出する緊急警報信号検出回路と、を有し、上記緊急警報信号検出回路は、通電状態に保持され、上記緊急警報信号を検出した場合に、上記出力系が非通電状態であれば、上記出力系を通電状態に切り替えるように指示する。
【０００９】
好適には、上記出力アンプ制御回路は、上記緊急警報信号検出回路にて上記緊急警報信号が検出された場合に、上記出力アンプの出力信号を所定の出力レベル以上であるように制御する。
【００１０】
好適には、防災無線信号を受信する防災無線受信回路と、上記防災無線信号を検出する防災無線信号検出回路と、をさらに有し、上記切り替えスイッチは、上記防災無線信号検出回路が上記防災無線信号を検出した場合に、上記防災無線信号もしくは上記緊急警報信号に切り替える。
【００１１】
好適には、上記防災無線信号検出回路は、上記防災無線信号に含まれる雑音の大きさが予め設定された値より大きいか小さいかを比較し、雑音の方が大きい場合には防災無線信号が検知されていないと認識し、雑音の方が小さい場合には防災無線信号が検知されたと認識する。
【００１２】
好適には、上記出力アンプ制御回路は、上記緊急警報信号検出回路にて上記緊急警報信号が検出された場合に、事前に設定されている上記出力アンプの音量レベルに関わらず、当該音量レベルを制御する。
【００１３】
好適には、上記出力アンプ制御回路は、上記防災無線信号検出回路にて上記防災無線信号が検出された場合に、事前に設定されている上記出力アンプの音量レベルに関わらず、当該音量レベルを制御する。
【００１４】
好適には、上記出力アンプ制御回路は、上記音量レベルが無音状態にあっても、上記出力アンプが上記緊急警報信号もしくは上記防災無線信号を所定の音量レベルで出力するように制御する。
【００１５】
好適には、上記出力アンプ制御回路は、上記出力アンプが上記緊急警報信号もしくは上記防災無線信号を最大でない音量レベルで出力するように制御する。
【００１６】
本発明の第２の観点の緊急警報受信機は、緊急警報信号を受信する緊急警報受信回路と、ＡＭおよびＦＭ放送信号を受信するＡＭ／ＦＭ受信回路と、上記緊急警報信号、上記ＡＭおよびＦＭ放送信号とを含む信号が入力され、当該信号を選択して出力する切り替えスイッチと、を有し、上記切り替えスイッチは、上記緊急警報受信回路が上記緊急警報信号を受信した場合は、上記ＡＭまたはＦＭ放送信号から上記緊急警報信号に切り替える。
【発明の効果】
【００１７】
本発明は、緊急警報放送や防災無線放送などが放送された際に、緊急警報放送や防災無線放送を受信可能な状態にすることができる。
【発明を実施するための最良の形態】
【００１８】
以下、本発明の実施形態を図面に関連づけて説明する。
【００１９】
（第１実施形態）
図１は、第１実施形態に係る緊急警報受信機の一実施形態を示すブロック図である。図１を参照しながら、本実施形態に係る緊急警報受信機の動作について説明する。
【００２０】
図１に示すように、緊急警報受信機１０は、受信部１１と受信アンテナ１２を有する。受信部１１はその内部に、信号受信回路１３、切り替えスイッチ１４、緊急警報信号検出回路１５、出力系１６、およびスピーカ１７を有する。さらに、信号受信回路１３は内部に、ＡＭ／ＦＭ受信回路（放送受信回路）１３１、および緊急警報受信回路１３２を有する。また、出力系１６は、出力アンプ制御回路１６１と出力アンプ１６２で構成される。
【００２１】
受信アンテナ１２は、緊急警報放送や一般に放送されているＡＭ／ＦＭ放送、あるいは防災無線などを受信するアンテナである。この受信アンテナ１２で受信した信号は、信号受信回路１３に入力される。
受信アンテナ１２が受信した信号は、信号受信回路１３のＡＭ／ＦＭ受信回路１３１あるいは緊急警報受信回路１３２に入力される。
【００２２】
ＡＭ／ＦＭ受信回路１３１は、図１に図示しないＡＭラジオ回路とＦＭラジオ回路とを含む。ＡＭ／ＦＭ受信回路１３１にＡＭ／ＦＭ信号（放送信号）が入力されると、ＡＭ／ＦＭ受信回路１３１はＡＭ／ＦＭ信号の復調などの処理を施し、音声信号であるＡＭ／ＦＭ信号を切り替えスイッチ１４に出力する。
【００２３】
緊急警報受信回路１３２は、オン（通電状態）に保持されている。したがって、緊急警報放送が行われた場合には、緊急警報受信回路１３２は緊急警報信号を受信可能である。緊急警報受信回路１３２が緊急警報信号を受信した場合、緊急警報信号を検波し、音声信号である緊急警報信号を切り替えスイッチ１４と緊急警報信号検出回路１５と、にそれぞれ出力する。
【００２４】
緊急警報信号検出回路１５は、オンに保持され、緊急警報信号を検出する。よって、緊急警報放送が行われた場合には、緊急警報信号検出回路１５は、緊急警報受信回路１３２から緊急警報信号が入力され、緊急警報信号の検出を行なう。
【００２５】
ところで、緊急警報信号は、待機状態にある受信部１１を作動させる開始信号を含む音声信号である。
この開始信号は、先頭に前値符号を付加し、固定符号１語と可変符号１語とを交互に６語連結して構成される１ブロックを４以上連結したものである。また、緊急警報信号の信号形式は、１０２４Ｈｚと６４０Ｈｚとの周波数を有するＦＳＫ（Frequency Shift Keying）信号形式である。緊急警報信号検出回路１５は、緊急警報信号にＦＳＫ復調等の処理を行って元のディジタル符号列に変換し、固定符号や可変符号の符号パターンから開始信号等を検出する。
【００２６】
緊急警報信号検出回路１５が開始信号等を含む緊急警報信号を検出したならば、切り替えスイッチ１４がＡＭ／ＦＭ信号を選択していても、緊急警報信号に切り替えるように切り替えスイッチ１４に指示する。
逆に、緊急警報信号検出回路１５が緊急警報信号を検出しない場合は、切り替えスイッチ１４に対して何も信号を出力しない。
また、緊急警報信号検出回路１５は、出力系１６がオフ（非通電状態）である場合、出力系１６をオンに切り替えるように出力アンプ制御回路１６１に指示する。
【００２７】
切り替えスイッチ１４は、通常時にはＡＭ／ＦＭ受信回路１３１からＡＭ／ＦＭ信号が、緊急警報放送時には、緊急警報受信回路１３２から緊急警報信号が、それぞれ入力される。そして、切り替えスイッチ１４は、通常時には、出力アンプ１６２にＡＭ／ＦＭ信号を出力し、緊急警報放送時には、緊急警報信号を選択する。
なお、緊急警報放送時に切り替えスイッチ１４がオフであった場合は、切り替えスイッチ１４は、緊急警報信号検出回路１５によってオンに切り替えられる。
【００２８】
出力アンプ制御回路１６１は、緊急警報放送時に、緊急警報信号検出回路１５から所定の指示を受け、出力アンプ１６２を制御する。
緊急警報放送時に出力アンプ制御回路１６１がオフである場合、緊急警報信号検出回路１５の指示により、出力アンプ制御回路１６１はオンに切り替えられる。
また、出力アンプ１６２がオフにある場合、出力アンプ制御回路１６１は、出力アンプ１６２をオンに切り替える。
【００２９】
緊急警報信号検出回路１５にて緊急警報信号が検出された場合、出力アンプ制御回路１６１は、事前に設定されている出力アンプ１６２の出力信号（出力音量）レベルの状態に関わらず、出力アンプ１６２の出力信号レベルを最大でない所定の出力信号レベルにまで増幅するように制御する。
【００３０】
より詳細には、たとえば、出力アンプ１６２の出力信号レベルが無音状態や最大出力信号レベルの半分程度以下に設定されている場合でも、出力アンプ制御回路１６１は、出力アンプ１６２の出力信号レベルを最大出力信号レベルの半分程度にまで増幅するように制御する。
【００３１】
出力アンプ１６２は、切り替えスイッチ１４から音声信号であるＡＭ／ＦＭ信号あるいは緊急警報信号が入力され、これらの音声信号を増幅してスピーカ１７に出力する。
なお、出力アンプ１６２には、通常時にはＡＭ／ＦＭ信号が入力され、緊急警報放送時には緊急警報信号が入力される。
緊急警報放送時に出力アンプ１６２がオフに設定されている場合には、出力アンプ１６２は、出力アンプ制御回路１６１の制御信号によって、オフからオンに切り替えられる。
【００３２】
緊急警報信号検出回路１５にて緊急警報信号が検出された場合、出力アンプ１６２は、出力アンプ制御回路１６１の制御に基づいて、事前に設定されている出力信号レベルの状態に関わらず、出力信号レベルを最大でない所定の出力信号レベルにまで増幅して、スピーカ１７に出力する。
【００３３】
より詳細には、たとえば、出力アンプ１６２は、出力信号レベルが無音状態や最大出力信号レベルの半分程度以下に設定されている場合でも、出力信号レベルを最大出力信号レベルの半分程度にまで増幅する。
【００３４】
スピーカ１７は、出力アンプ１６２によって調整された音圧で、音声信号を出力する。
【００３５】
次に、緊急警報受信機１０の動作について説明する。
【００３６】
図２は、本実施形態に係る緊急警報受信機の動作を説明するための図である。
【００３７】
図２に示すように、緊急警報放送が行われると、緊急警報受信回路１３２が緊急警報信号を受信し、緊急警報信号検出回路１５が検波した緊急警報信号を切り替えスイッチ１４に出力する。
【００３８】
切り替えスイッチ１４は、緊急警報受信機１０を使用しているユーザがＡＭもしくはＦＭ放送を選局していても、選局されているＡＭもしくはＦＭ放送信号を緊急警報信号に切り替え、切り替えた信号を出力アンプに出力する。
この時、出力アンプ１６２は、オフであっても、出力アンプ制御回路１６１によってオンに切り替えられ、事前に設定されている出力信号レベルの状態に関わらず、出力信号レベルを最大でない所定の出力信号レベルにまで増幅して、スピーカ１７に出力する。
【００３９】
以上に説明したように、本実施形態に係る緊急警報受信機１０は、ＡＭ／ＦＭ受信回路１３１以外に緊急警報放送を受信可能な緊急警報受信回路１３２と緊急警報信号を検知する緊急警報信号検出回路１５を有する。
そのため、緊急警報放送が行われた際に、ユーザがＡＭ／ＦＭ放送を選局していても、緊急警報信号検出回路１５が緊急警報信号を検知し、切り替えスイッチ１４が緊急警報放送を行っている放送局に切り変え、ユーザが緊急警報放送を聴取できる状態にする。
【００４０】
また、緊急警報受信回路１３２と緊急警報信号検出回路１５は、オンに保持されている。そのため、緊急警報放送が行われた際には、緊急警報受信回路１３２と緊急警報信号検出回路１５以外の要素がオフにあっても、緊急警報受信回路１３２は緊急警報信号を受信し、緊急警報信号検出回路１５にて緊急警報信号を検出できる。
【００４１】
また、緊急警報信号が検出されると、出力系１６がオフに設定されていても、緊急警報信号検出回路１５が出力系１６をオンに切り替え、ユーザが緊急警報放送を所定の音圧以上で聴取できるように出力アンプ１６２が出力信号レベルを調整する。
【００４２】
次に、本発明に係る第２実施形態について説明する。
【００４３】
（第２実施形態）
本実施形態は、ＡＭ／ＦＭ放送、緊急警報放送の他に防災無線を聴取できるようにしたものである。
【００４４】
図３は、本実施形態に係る緊急警報受信機が受信する防災無線放送を説明するための図である。
【００４５】
図３に示す防災行政無線システム２０は、親局２１と、親局２１が有する送信アンテナ２４、各家庭２２に設けられた戸別受信機である緊急警報受信機１０ａと、たとえば、市町村の地域別に設置される屋外拡声受信装置２３とを有する。
親局２１は、たとえば、市町村の役場に設置され、災害等の緊急時に緊急放送を無線信号で出力する。
親局２１は、行政事務に関する情報を、所定の時間毎、たとえば、朝と夕方の決められた時間に無線信号で出力する。
親局２１から出力される防災無線信号は、たとえば、非常に狭い周波数帯域のＦＭ波で送信される。その周波数帯は、６８ＭＨｚ〜７０ＭＨｚであり、ＦＭ放送の一部の放送周波数帯の近傍の周波数帯である。
【００４６】
図４は、第２実施形態に係る緊急警報受信機の一実施形態を示すブロック図である。図４を参照しながら、本実施形態に係る緊急警報受信機の動作について説明する。
【００４７】
図４に示すように、緊急警報受信機１０ａは、受信部１１ａ、受信アンテナ１２を有する。受信部１１ａはその内部に、信号受信回路１３ａ、切り替えスイッチ１４ａ、緊急警報信号検出回路１５ａ、出力系１６ａ、スピーカ１７、本発明の防災無線信号検出回路に対応するスケルチ回路１８、および優先順位選択回路１９を有する。さらに、信号受信回路１３ａは内部に、ＡＭ／ＦＭ受信回路１３１、緊急警報受信回路１３２、および防災無線受信回路１３３を有する。また、出力系１６ａは、出力アンプ制御回路１６１ａと出力アンプ１６２で構成される。
【００４８】
本実施形態に係る緊急警報受信機１０ａは、防災無線受信回路１３３、スケルチ回路１８、および優先順位選択回路１９を有し、ＡＭ／ＦＭ放送、緊急警報放送の他に防災無線も聴取できるようにしたものである。
【００４９】
本緊急警報受信機１０ａは、受信部１１ａ内部の防災無線受信回路１３３、スケルチ回路１８、および優先順位選択回路１９を有する以外は第１実施形態に係る緊急警報受信機１０と同様の各要素を有する。
そのため、本実施形態では、防災無線受信回路１３３、スケルチ回路１８、優先順位選択回路１９、および緊急警報信号検出回路１５ａ、切り替えスイッチ１４ａと出力アンプ１６２について説明する。
【００５０】
防災無線受信回路１３３は、たとえば親局２１から受信アンテナ１２を介して防災無線（防災電波）を受信し、検波等の所定の処理を行った後、音声信号である防災無線信号を切り替えスイッチ１４ａとスケルチ回路１８にそれぞれ出力する。
【００５１】
スケルチ回路１８は、ＦＭ波の受信を行い、防災無線信号を受信したことを検知したならば、検知信号等を含む防災無線信号を優先順位選択回路１９へ出力する。
【００５２】
また、スケルチ回路１８は、防災無線受信回路１３３の出力信号に含まれる雑音の大きさが予め設定された値より大きいか小さいかを比較し、雑音の方が大きい場合には防災無線信号が検知されていないと認識し、雑音の方が小さい場合には防災無線信号が検知されたと認識する。
ここで、スケルチとは、ＦＭ受信機において、選局時に局間に発生するノイズを低減もしくは削減するために、同調時と非同調時のＳＮ比の差を検知して、ＳＮ比が規定値より小さいとき、ノイズが多いものとして出力をオフ、ＳＮ比が規定値より大きいときは、ノイズが少ないものとして出力をオンさせる機能である。
【００５３】
また、本実施形態では、このスケルチ機能を使って、防災無線放送がない場合は防災無線受信回路１３３の出力をオフに、防災無線放送がある場合は防災無線受信回路１３３の出力をオンさせてもよい。この時のスイッチング信号で、たとえば、バンド切り替えや、ＡＭ／ＦＭ受信回路１３１のオン、オフを制御してもよい。
【００５４】
図５は、スケルチ出力による切り替えスイッチの制御状態を示す図である。
【００５５】
図５に示すように、たとえばスケルチがオンの場合、防災無線受信回路１３３の出力をオフ、ＡＭ／ＦＭ受信回路１３１の出力をオンに、スケルチがオフの場合、防災無線受信回路１３３の出力をオン、ＡＭ／ＦＭ受信回路１３１の出力をオフするように制御する。
【００５６】
緊急警報信号検出回路１５ａは、第１実施形態に係る緊急警報信号検出回路１５と同様の要素である。緊急警報信号検出回路１５ａは、オンに保持され、緊急警報信号が緊急警報受信回路１３２から入力され、所定の手続きにしたがって、この緊急警報信号から開始信号等を検知し、開始信号等を含む緊急警報信号を優先順位選択回路１９へ出力する。
【００５７】
優先順位選択回路１９は、緊急警報信号検出回路１５ａと防災無線受信回路１３３とから、緊急警報信号あるいは防災無線信号が入力される。たとえば同時刻に、緊急警報信号検出回路１５ａと防災無線受信回路１３３からの信号が優先順位選択回路１９に入力された場合、どの音声信号を優先的にスピーカ１７を介して出力するかを選択する。
優先順位選択回路１９による優先順位にしたがって、切り替えスイッチ１４ａは緊急警報信号あるいは防災無線信号に切り替える。
また、出力系１６ａがオフであるとき、出力系１６ａをオンに切り替えるように出力アンプ制御回路１６１ａに指示する。
なお、緊急警報信号あるいは防災無線信号のどちらか一方の信号のみが入力された場合、優先順位選択回路１９は、受信した音声信号を切り替えスイッチ１４ａと出力アンプ制御回路１６１ａにそれぞれ出力する。
【００５８】
切り替えスイッチ１４ａは、第１実施形態に係る切り替えスイッチ１４と同様の機能を有する。
通常時にはＡＭ／ＦＭ受信回路１３１からＡＭ／ＦＭ信号が、緊急警報放送時には緊急警報受信回路１３２から緊急警報信号が、防災無線放送時には防災無線受信回路１３３から防災無線信号がそれぞれ入力される。
通常時に、切り替えスイッチ１４ａは、ＡＭ／ＦＭ信号を出力アンプ１６２に出力する。緊急警報放送時あるいは防災無線放送時に、切り替えスイッチ１４ａは、ＡＭ／ＦＭ信号から緊急警報信号もしくは防災無線信号に切り替え、出力アンプ１６２に切り替えられた信号を出力する。
入力信号の選択、あるいは出力アンプ１６２への出力順は、優先順位選択回路１９によって指示される。
【００５９】
出力アンプ制御回路１６１ａは、緊急警報または防災無線放送時に、優先順位選択回路１９によって選択された緊急警報信号または防災無線信号が入力され、優先順位選択回路１９から所定の指示を受け、出力アンプ１６２を制御する。
緊急警報または防災無線放送時に出力アンプ制御回路１６１ａがオフである場合、優先順位選択回路１９の指示により、出力アンプ制御回路１６１ａはオンに切り替えられる。
また、出力アンプ１６２がオフにある場合、出力アンプ制御回路１６１ａは、出力アンプ１６２をオンに切り替える。
【００６０】
緊急警報信号検出回路１５ａにて緊急警報信号、またはスケルチ回路１８にて防災無線信号が検出された場合は、出力アンプ制御回路１６１は、事前に設定されている出力アンプ１６２の出力信号レベルの状態に関わらず、出力アンプ１６２の出力信号レベルを最大でない所定の出力信号レベルにまで増幅するように制御する。
【００６１】
より詳細には、たとえば、出力アンプ１６２の出力信号レベルが無音状態や最大出力信号レベルの半分程度以下に設定されている場合でも、出力アンプ制御回路１６１ａは、出力アンプ１６２の出力信号レベルを最大出力信号レベルの半分程度にまで増幅するように制御する。
次に、緊急警報受信機１０ａの動作について説明する。
【００６２】
図６は、本実施形態に係る緊急警報受信機の動作を説明するための図である。
【００６３】
図６に示すように、緊急警報放送が行われると、緊急警報受信回路１３２が緊急警報信号を受信し、緊急警報信号検出回路１５ａが検波した緊急警報信号を優先順位選択回路１９に出力する。
また、防災無線放送が行われると、防災無線受信回路１３３が防災無線信号を受信し、スケルチ回路１８が検波した防災無線信号を優先順位選択回路１９に出力する。
【００６４】
緊急警報受信回路１３２および防災無線受信回路１３３が、たとえば同時刻に緊急警報信号および防災無線信号をそれぞれ検出した場合は、優先順位選択回路１９は所定の手続きにより、どちらか一方の信号を選択し、選択した信号を切り替えスイッチ１４ａに出力する。
どちらか一方の信号のみが検出された場合は、優先順位選択回路１９は、検出された信号を切り替えスイッチ１４ａに出力する。
【００６５】
切り替えスイッチ１４ａは、緊急警報受信機１０ａを使用しているユーザがＡＭもしくはＦＭ放送を選局していても、選局されているＡＭもしくはＦＭ放送信号を緊急警報信号に切り替え、出力アンプ１６２に緊急警報信号を出力する。
この時、出力アンプ１６２は、オフであっても、出力アンプ制御回路１６１ａによってオンに切り替えられ、事前に設定されている出力信号レベルの状態に関わらず、出力信号レベルを最大でない所定の出力信号レベルにまで増幅して、スピーカ１７に出力する。
【００６６】
以上に説明したように、本実施形態によれば、防災無線受信回路１３３、スケルチ回路１８、および優先順位選択回路１９をさらに有し、ＡＭ／ＦＭ放送、緊急警報放送および防災無線を聴取できる。
【００６７】
そのため、緊急警報あるいは防災無線放送時に、ユーザがＡＭ／ＦＭ放送を選局していても、緊急警報信号検出回路１５ａが緊急警報信号を、スケルチ回路１８が防災無線信号をそれぞれ検知する。そして、優先順位選択回路１９が、緊急警報信号もしくは防災無線信号を優先順位に基づいて選択し、切り替えスイッチ１４ａが緊急警報放送あるいは防災無線放送を行っている放送局に切り変え、ユーザが緊急警報放送あるいは防災無線放送を聴取できる状態にする。
【００６８】
また、第１実施形態と同様に、出力系１６ａがオフに設定されていても、緊急警報信号検出回路１５ａは優先順位選択回路１９を介して出力アンプ１６２をオンに切り替え、ユーザが緊急警報放送を所定の音圧以上で聴取できるように、出力アンプ制御回路１６１ａが出力信号レベルを調整する。
【図面の簡単な説明】
【００６９】
【図１】第１実施形態に係る緊急警報受信機の一実施形態を示すブロック図である。
【図２】本実施形態に係る緊急警報受信機の動作を説明するための図である。
【図３】本実施形態に係る緊急警報受信機が受信する防災無線放送を説明するための図である。
【図４】第２実施形態に係る緊急警報受信機の一実施形態を示すブロック図である。
【図５】スケルチ出力による切り替えスイッチの制御状態を示す図である。
【図６】本実施形態に係る緊急警報受信機の動作を説明するための図である。
【符号の説明】
【００７０】
１０…緊急警報受信機、１１…受信部、１２…受信アンテナ、１３…信号受信回路、１３１…ＡＭ／ＦＭ受信回路、１３２…緊急警報受信回路、１３３…防災無線受信回路、１４…切り替えスイッチ、１５…緊急警報信号検出回路、１６…出力系、１６１…出力アンプ制御回路、１６２…出力アンプ、１７…スピーカ、１８…スケルチ回路、１９…優先順位選択回路、２０…防災行政無線システム、２１…親局、２２…各家庭、２３…屋外拡声受信装置、２４…送信アンテナ。
【図１】
2008160789.tif 000003
【図２】
2008160789.tif 000004
【図３】
2008160789.tif 000005
【図４】
2008160789.tif 000006
【図５】
2008160789.tif 000007
【図６】
2008160789.tif 000008